(57)【要約】【課題】小型かつ低コストであり、通信装置の受信能力を容易に評価することが可能な試験用モジュールを提供する。【解決手段】通信装置１０の通信用のポート１１における受信能力が所定の基準を満たしているかを評価するために用いる試験用モジュール１であって、筐体２と、筐体２と一体に設けられており、ポート１１に接続するためのコネクタ部３と、を有するプラガブルなモジュールからなり、筐体２内に搭載され、データ信号に、予め設定されたジッタまたはノイズの少なくとも一方を付与して、前記基準で受信が要求される試験用信号を生成し、当該生成した試験用信号をポート１１に出力する試験用信号生成部６を備えた。【選択図】図１
2017152794.tif 000002
【特許請求の範囲】
【請求項１】
通信装置の通信用のポートにおける受信能力が所定の基準を満たしているかを評価するために用いる試験用モジュールであって、
筐体と、前記筐体と一体に設けられており、前記ポートに接続するためのコネクタ部と、を有するプラガブルなモジュールからなり、
前記筐体内に搭載され、データ信号に、予め設定されたジッタまたはノイズの少なくとも一方を付与して、前記基準で受信が要求される試験用信号を生成し、当該生成した試験用信号を前記ポートに出力する試験用信号生成部を備えた、
試験用モジュール。
【請求項２】
前記ポートを介して前記通信装置から供給される電源により駆動されるように構成されている、
請求項１に記載の試験用モジュール。
【請求項３】
前記コネクタ部が接続された前記ポートを介して前記通信装置から入力されたデータ信号を受信し、当該受信したデータ信号を前記試験用信号生成部に出力するデータ受信部をさらに備えた、
請求項１または２に記載の試験用モジュール。
【請求項４】
前記コネクタ部が接続された前記通信装置とは別体の装置からデータ信号が入力される入力部と、
前記入力部から入力されたデータ信号を受信し、当該受信したデータ信号を前記試験用信号生成部に出力するデータ受信部と、をさらに備えた、
請求項１または２に記載の試験用モジュール。
【請求項５】
データ信号を生成し、当該生成したデータ信号を前記試験用信号生成部に出力するデータ生成部をさらに備えた、
請求項１または２に記載の試験用モジュール。
【発明の詳細な説明】
【技術分野】
【０００１】
本発明は、通信装置における各ポートの受信能力を評価するための試験用モジュールに関する。
【背景技術】
【０００２】
ネットワークスイッチやルータ等の通信装置においては、通信用の各ポートで送受信する電気信号の品質が各種規格により規定されている。
【０００３】
例えば、ＳＦＰ（Small Form Factor Pluggable）に準拠した通信装置では、ＳＦＦ−８４３１と呼称されるＭＳＡ（Multi Source Agreement）において、光トランシーバ等のＳＦＰ機器とポート間で送受信する電気信号が詳細に規定されている。
【０００４】
通信装置を設計する際に、その通信装置の通信信号品質（実装されるＳＦＰ機器等に対しての通信信号品質）を定量的に測定しておくことは、通信装置の信頼性を評価する上で重要である。
【０００５】
通信装置における各ポートの受信能力を評価するシステムとして、例えば、SFF-8431 version4.1 addendumのFigure.50に記載されたものが一般に知られている。このシステムでは、パルスジェネレータで生成したデータ信号にクロックジッタと電圧ノイズ（歪）を付与し、各種フィルタを通した試験用信号をポートに出力するように構成されている。このようなシステムを用いて、規格で許容されている最悪品質の信号を試験用信号として出力し、通信装置側でこの試験用信号を正確に受信できたかを確認することにより、通信装置の受信能力が規格を満たしているかを評価することができる。
【０００６】
なお、この出願の発明に関連する先行技術文献情報としては、特許文献１がある。
【先行技術文献】
【特許文献】
【０００７】
【特許文献１】特許第３８８６９４１号公報
【発明の概要】
【発明が解決しようとする課題】
【０００８】
しかしながら、近年の信号速度の高速化に伴い、上述のようなシステムに使用できる測定用の機器が非常に高価で大型となってきており、試験環境の構築が困難になってきている。
【０００９】
また、通信装置の受信能力を評価するためには、規格にて詳細に規定された信号品質を決定する多くのパラメータを正確に再現し、かつ高速な信号に規定されたノイズを重畳する必要があるため、システムの構築に膨大なコストがかかってしまう。また、測定用の機器の調整を精密に行う必要があるため、試験に非常に手間がかかってしまうという課題もある。
【００１０】
そこで、本発明は、小型かつ低コストであり、通信装置の受信能力を容易に評価することが可能な試験用モジュールを提供することを目的とする。
【課題を解決するための手段】
【００１１】
本発明は、上記課題を解決することを目的として、通信装置の通信用のポートにおける受信能力が所定の基準を満たしているかを評価するために用いる試験用モジュールであって、筐体と、前記筐体と一体に設けられており、前記ポートに接続するためのコネクタ部と、を有するプラガブルなモジュールからなり、前記筐体内に搭載され、データ信号に、予め設定されたジッタまたはノイズの少なくとも一方を付与して、前記基準で受信が要求される試験用信号を生成し、当該生成した試験用信号を前記ポートに出力する試験用信号生成部を備えた、試験用モジュールを提供する。
【発明の効果】
【００１２】
本発明によれば、小型かつ低コストであり、通信装置の受信能力を容易に評価することが可能な試験用モジュールを提供できる。
【図面の簡単な説明】
【００１３】
【図１】本発明の一実施の形態に係る試験用モジュールと通信装置の斜視図であり、図１（ｂ）は、試験用モジュールの概略構成図である。
【図２】本発明の他の実施の形態に係る試験用モジュールの概略構成図である。
【図３】本発明の他の実施の形態に係る試験用モジュールの概略構成図である。
【発明を実施するための形態】
【００１４】
［実施の形態］
以下、本発明の実施の形態を添付図面にしたがって説明する。
【００１５】
図１（ａ）は、本実施の形態に係る試験用モジュールと通信装置の斜視図であり、図１（ｂ）は、試験用モジュールの概略構成図である。
【００１６】
図１（ａ），（ｂ）に示すように、試験用モジュール１は、通信装置１０の通信用のポート１１における受信能力が所定の基準を満たしているかを評価するために用いるものであり、筐体２と、筐体２と一体に設けられており、ポート１１に接続するためのコネクタ部３と、を有するプラガブルなモジュールである。
【００１７】
筐体２内には、回路基板４が収容されている。回路基板４の端部は筐体２から露出されており、その筐体２から露出された回路基板４の端部には、複数の電極が整列して形成されカードエッジコネクタ（不図示）が形成されている。コネクタ部３は、この回路基板４に形成されたカードエッジコネクタと、カードエッジコネクタの周囲を覆う筐体２とで構成されている。
【００１８】
通信装置１０は、例えばネットワークスイッチやルータである。ここでは、通信装置１０がＳＦＰに準拠したポート１１を備えている場合について説明する。この場合、通信装置１０の各ポート１１は、ＳＦＦ−８４３１にて規定される最悪品質の信号が入力された場合であっても、エラーを発生させることなくデータ信号を受信することが求められる。
【００１９】
さて、本実施の形態に係る試験用モジュール１は、データ受信部５と、試験用信号生成部６と、を備えている。
【００２０】
データ受信部５と試験用信号生成部６は、筐体２内に搭載されている。データ受信部５と試験用信号生成部６は、回路基板４に搭載されたＣＰＵ、ソフトウェア、インターフェイス、メモリ等を適宜組み合わせて実現されている。
【００２１】
データ受信部５は、コネクタ部３が接続されたポート１１を介して通信装置１０から入力されたデータ信号を受信し、当該受信したデータ信号を試験用信号生成部６に出力するように構成されている。
【００２２】
試験用信号生成部６は、データ受信部５から入力されたデータ信号に、予め設定されたジッタ（クロックジッタ）またはノイズ（電圧ノイズ）の少なくとも一方を付与（重畳）して、評価対象となるポート１１が準拠する基準（規格）にて受信が要求される試験用信号を生成し、当該生成した試験用信号をポート１１に出力するように構成されている。
【００２３】
本実施の形態では、試験用信号生成部６は、データ信号にジッタおよびノイズを付与して、ＳＦＦ−８４３１にて規定される最悪品質の信号を試験用信号として生成するように予めキャリブレーションされている。なお、ここでいう最悪品質の信号とは、規格にて許容される最大のジッタおよび最大のノイズ（ノイズの周波数は規格にて規定されている）を付与した最も受信が困難な信号を意味している。つまり、試験用信号生成部６は、データ信号を意図的に劣化させ、規格で許容される最悪の条件の信号を試験用信号として出力するように調整されている。
【００２４】
このように、試験用信号生成部６は、付与するジッタやノイズを調整することができず、予め設定されたジッタやノイズを付与するという必要最低限の機能のみを備えたものである。ジッタやノイズを調整するといった不要な機能を省略することにより、試験用信号生成部６を小型かつ低コストで実現可能となり、小型でプラガブルな試験用モジュール１を実現可能になる。
【００２５】
また、試験用信号生成部６を予め設定されたジッタやノイズを付与するように構成することで、試験の際にジッタやノイズを調整する手間（試験用信号の波形を調整する手間）を省くことが可能になり、通信装置１０の受信能力を容易に評価することが可能になる。
【００２６】
さらに、本実施の形態では、通信装置１０から入力されたデータ信号にジッタやノイズを付与して通信装置１０に折り返して出力するように試験用モジュール１を構成しているため、試験用モジュール１においてデータ信号を生成する機能（パルスジェネレータの機能）を省略することが可能になり、試験用モジュール１をより小型かつ低コストに実現することが可能になる。
【００２７】
本実施の形態では、試験用モジュール１を駆動する電源は、ポート１１を介して通信装置１０から供給されている。つまり、試験用モジュール１は、ポート電源により駆動するように構成されている。これにより、試験用モジュール１をポート１１に挿着するのみで試験を行うことが可能になり、通信装置１０の受信能力をより容易に評価することが可能になる。
【００２８】
図示していないが、試験用モジュール１の筐体２には、試験用モジュール１に電源が供給されていることや、データ信号を受信していること、あるいは、試験用信号を出力していることを発光ダイオードの発光等により表示する表示部が備えられていてもよい。
【００２９】
試験用モジュール１を用いて通信装置１０の受信能力の試験を行う際には、まず、試験用モジュール１を評価対象となる通信装置１１のポート１１に挿着する。これにより、ポート１１を介して試験用モジュール１に電源が供給され、試験用モジュール１が駆動される。
【００３０】
その後、通信装置１０からポート１１を介してデータ信号を送信する。ポート１１から送信されたデータ信号は、コネクタ部３を介してデータ受信部５で受信され、試験用信号生成部６にて所定のジッタおよびノイズが付与されて試験用信号となり、コネクタ部３およびポート１１を介して通信装置１０に受信される。通信装置１０にて、試験用信号を受信した際のビットエラーレートを測定することで、通信装置１０のポート１１における受信能力を評価すること（この場合、ＳＦＰに準拠した受信装置としての機能を満たしているか否かを評価すること）が可能になる。
【００３１】
なお、本実施の形態では、通信装置１０から入力されたデータ信号を用いて試験用信号を生成しているため、予め通信装置１０における送信機能の試験を行い、正常な波形のデータ信号がポート１１から出力されていることを確認した上で、試験用モジュール１を用いた受信能力の試験を行うことがより望ましいといえる。
【００３２】
（実施の形態の作用及び効果）
以上説明したように、本実施の形態に係る試験用モジュール１は、通信装置１０の通信用のポート１１における受信能力が所定の基準を満たしているかを評価するために用いるものであり、筐体２と、筐体２と一体に設けられており、ポート１１に接続するためのコネクタ部３と、を有するプラガブルなモジュールからなり、筐体２内に搭載され、データ信号に、予め設定されたジッタまたはノイズの少なくとも一方を付与して、前記基準で受信が要求される試験用信号を生成し、当該生成した試験用信号をポート１１に出力する試験用信号生成部６を備えている。
【００３３】
予め設定されたジッタやノイズを付与するという必要最低限の機能のみを有する試験用信号生成部６を備えることにより、小型でかつ低コストな試験用モジュール１を実現できる。また、付与するジッタやノイズは予め調整されているため試験に際してジッタやノイズの調整を行う必要がなくなり、通信装置１０の受信能力を容易に評価することが可能になる。
【００３４】
（他の実施の形態）
次に、本発明の他の実施の形態について説明する。
【００３５】
図２に示す試験用モジュール２１は、評価対象となる通信装置１０とは別体の装置（例えば他の通信装置やパルスジェネレータ）から入力されたデータ信号を基に試験用信号を生成するように構成されたものである。
【００３６】
試験用モジュール２１では、筐体２には、コネクタ部３が接続された通信装置１０とは別体の装置（不図示）からデータ信号が入力される入力部２２が設けられている。入力部２２は、例えば通信ケーブルを接続するレセプタクルから構成される。
【００３７】
また、試験用モジュール２１では、データ受信部５は、入力部２２から入力されたデータ信号を受信し、当該受信したデータ信号を試験用信号生成部６に出力するように構成されている。
【００３８】
このように構成することで、入力部２２から入力されたデータ信号を基に試験用信号を生成し、評価対象となる通信装置１０に出力することが可能になり、図１（ｂ）の試験用モジュール１と同様の作用効果を得ることが可能になる。
【００３９】
図２の試験用モジュール２１では、評価対象となるポート１１や通信装置１０を変更した場合であっても、常に同じ装置（例えば他の通信装置やパルスジェネレータ）から入力されたデータ信号を基に試験用信号を生成させることが可能になり、通信装置１０の受信能力をより安定して評価することが可能になる。
【００４０】
ただし、図２の試験用モジュール２１では、他の装置からデータ信号を入力するための入力部２２が必要となるため、図１（ｂ）の試験用モジュール１と比較して、若干大型となりコストも高くなる。よって、小型化やコスト削減の観点からは、図１（ｂ）の試験用モジュール１のように、ポート１１から入力されたデータ信号を折り返して試験用信号として出力する構成とすることが望ましいといえる。
【００４１】
図３の試験用モジュール３１は、データ受信部５を省略し、試験用モジュール３１内でデータ信号を生成するように構成したものである。
【００４２】
試験用モジュール３１は、データ信号を生成し、当該生成したデータ信号を試験用信号生成部６に出力するデータ生成部３２を備えている。データ生成部３２は、生成するデータ信号を調整する機能は有しておらず、予め設定されたデータ信号を生成する必要最低限の機能のみを有したものである。これにより、データ生成部３２を搭載することによるコストの増加や大型化を抑制できる。
【００４３】
試験用モジュール３１では、データ信号を生成する機能を試験用モジュール３１に搭載しているため、外乱等の影響を受けずに試験用信号の基になるデータ信号をより安定して生成することが可能であり、図１（ｂ）の試験用モジュール１や図２の試験用モジュール２１と比較して、通信装置１０の受信能力をより安定して評価することが可能になる。試験用モジュール３１は、より精密な受信能力の評価が要求される場合に好適に用いることができる。
【００４４】
なお、データ生成部３２を備えることによるコストの増大や、モジュールの大型化が問題となる場合には、図１（ｂ）の試験用モジュール１や図２の試験用モジュール２１のように、外部から入力されたデータ信号を用いて試験用信号を生成する構成を採用するとよい。
【００４５】
（実施の形態のまとめ）
次に、以上説明した実施の形態から把握される技術思想について、実施の形態における符号等を援用して記載する。ただし、以下の記載における各符号等は、特許請求の範囲における構成要素を実施の形態に具体的に示した部材等に限定するものではない。
【００４６】
［１］通信装置（１０）の通信用のポート（１１）における受信能力が所定の基準を満たしているかを評価するために用いる試験用モジュール（１）であって、筐体（２）と、前記筐体（２）と一体に設けられており、前記ポート（１１）に接続するためのコネクタ部（３）と、を有するプラガブルなモジュールからなり、前記筐体（２）内に搭載され、データ信号に、予め設定されたジッタまたはノイズの少なくとも一方を付与して、前記基準で受信が要求される試験用信号を生成し、当該生成した試験用信号を前記ポート（１１）に出力する試験用信号生成部（６）を備えた、試験用モジュール（１）。
【００４７】
［２］前記ポート（１１）を介して前記通信装置（１０）から供給される電源により駆動されるように構成されている、［１］に記載の試験用モジュール（１）。
【００４８】
［３］前記コネクタ部（３）が接続された前記ポート（１１）を介して前記通信装置（１０）から入力されたデータ信号を受信し、当該受信したデータ信号を前記試験用信号生成部（６）に出力するデータ受信部（５）をさらに備えた、［１］または［２］に記載の試験用モジュール（１）。
【００４９】
［４］前記コネクタ部（３）が接続された前記通信装置（１０）とは別体の装置からデータ信号が入力される入力部（２２）と、前記入力部（２２）から入力されたデータ信号を受信し、当該受信したデータ信号を前記試験用信号生成部（６）に出力するデータ受信部（５）と、をさらに備えた、［１］または［２］に記載の試験用モジュール（２１）。
【００５０】
［５］データ信号を生成し、当該生成したデータ信号を前記試験用信号生成部（６）に出力するデータ生成部（３２）をさらに備えた、［１］または［２］に記載の試験用モジュール（３１）。
【００５１】
以上、本発明の実施の形態を説明したが、上記に記載した実施の形態は特許請求の範囲に係る発明を限定するものではない。また、実施の形態の中で説明した特徴の組合せの全てが発明の課題を解決するための手段に必須であるとは限らない点に留意すべきである。
【００５２】
本発明は、その趣旨を逸脱しない範囲で適宜変形して実施することが可能である。
【００５３】
例えば、上記実施の形態では、ポート電源により駆動するように試験用モジュール１を構成したが、これに限らず、通信装置１０を載置するラック等に備えられた外部電源から試験用モジュール１に電源を供給するように構成してもよい。
【００５４】
また、上記実施の形態では、一例として、ＳＦＰに準拠したポート１１の受信能力を評価するために用いる試験用モジュール１について説明したが、評価対象となるポート１１が準拠する規格はこれに限定されず、例えばＳＦＰ＋であってもよいし、イーサネット規格（イーサネットは登録商標）である１０００ＢＡＳＥ−Ｔ（IEEE 802.3ab）等であってもよい。
【符号の説明】
【００５５】
１…試験用モジュール
２…筐体
３…コネクタ部
４…回路基板
５…データ受信部
６…試験用信号生成部
１０…通信装置
１１…ポート
【図１】
2017152794.tif 000003
【図２】
2017152794.tif 000004
【図３】
2017152794.tif 000005